(57)【要約】【課題】限られた用地を有効的に利用して多数の墓地が設けられ、かつ、墓参が容易にできることや、簡素な構成で自然に戻すことが容易にできる立体墓地を提供する。【解決手段】堤状に盛土され少なくとも一面は傾斜面３又は４とされた埋葬部本体２Ａ，２Ｂ又は２Ｃが形成され、これら埋葬部本体２Ａ，２Ｂ又は２Ｃの傾斜面３又は４は、遺骨を埋設可能な埋葬部５が頂部から地面方向に亘って複数段形成可能な面積を備えてなるものである。また、埋設部５には、遺骨を収納可能な納骨空間が内部に形成された納骨容器が埋設され、この納骨容器には、前記納骨空間に連通する開口が形成され、この開口は前記傾斜面３又は４に露出してなり、その開口は閉塞板１８（１８Ａ，１８Ｃ）により閉塞されてなる。【選択図】        図１
2007327182.tif 000002
【特許請求の範囲】
【請求項１】
堤状に盛土され少なくとも一面は傾斜面とされた埋葬部本体が形成され、この埋葬部本体の傾斜面は遺骨を埋設可能な埋葬部が該埋葬部本体の頂部から地面方向に亘って複数段形成可能な面積を備えてなることを特徴とする立体墓地。
【請求項２】
前記埋設部には、遺骨を収納可能な納骨空間が内部に形成された納骨容器が埋設されてなることを特徴とする請求項１記載の立体墓地。
【請求項３】
前記納骨容器には、前記納骨空間に連通する開口が形成され、この開口は前記傾斜面に露出してなり、該開口は閉塞板により閉塞されてなることを特徴とする請求項２に記載の立体墓地。
【請求項４】
前記閉塞板の正面には、文字、図形、記号その他遺骨を特定する表示面とされてなることを特徴とする請求項３記載の立体墓地。
【請求項５】
前記閉塞板の下端には、前記傾斜面から手前に突出してなる蜀台部が形成されてなることを特徴とする請求項３又は４記載の立体墓地。
【発明の詳細な説明】
【技術分野】
【０００１】
本発明は、遺骨を埋葬する立体墓地に関し、さらに詳しくは、限られた用地上にできるだけ多くの埋葬部位を設けるための立体墓地に関するものである。
【背景技術】
【０００２】
従来からの墓地としては、区画された用地内に遺骨を収納する納骨部と、被埋葬者又は被埋葬物の記録等を表示する墓碑とを設けた墓地が多用されてきたが、この形態の墓地にあっては、限られた用地に多数の墓地を設けることができないため、これを改善したものとして、屋内に遺骨を収納する戸棚状の納骨部を設けたものが知られている。また別の墓地として、例えば、多数の墓石及び納骨室の集合形態の供養塔が（特許文献１参照）知られている。この特許文献１に開示された供養塔は、各家別に建立された多数の墓石と、前記墓石ごとに墓石の下に設けられ、他家の遺骨と交じらないように遺骨を収納する納骨室とを備えたものである。
【０００３】
【特許文献１】実用新案登録第３０９３２１０号公報
【発明の開示】
【発明が解決しようとする課題】
【０００４】
しかしながら、従来からの区画された用地に設けた墓地は、限られた用地に多数の墓地を設けることができない問題の他に、最近では３３年とか永代に亘り埋葬されているとは限らず、比較的短期間（例えば、愛玩動物等の場合には３乃至５年）で墓地を閉鎖したいという要望もあり、その際に自然に戻そうとすると、その復帰工事に多くの労力と時間が必要であるという問題があった。また、屋内に戸棚状の納骨部を設けたものでは、墓参者の目よりも高い位置の納骨部に納骨された遺族は、墓参がしにくいとともに被埋葬者又は被埋葬物との対話がしにくいという問題があった。
【０００５】
また、特許文献１に開示された供養塔においては、その形態から供養塔の構造はコンクリート等で構築されたものであるから、何年か先に自然に戻そうとする際には、その復帰工事に多くの労力と時間が必要であるという問題や、墓参者の目よりも高い位置の納骨部に納骨された遺族は、事実上特定の墓参がしにくい。
【０００６】
そこで、本発明は、上述した従来の墓地が有する課題を解決するために提案されたものであって、限られた用地を有効的に利用して多数の墓地が設けられ、かつ、墓参が容易にできることや、簡素な構成で自然に戻すことが容易にできる墓地を提供することを目的とするものである。
【課題を解決するための手段】
【０００７】
上述した目的を達成するため、第１の発明（請求項１記載の発明）は、堤状に盛土され少なくとも一面は傾斜面とされた埋葬部本体が形成され、この埋葬部本体の傾斜面は遺骨を埋設可能な埋葬部が該埋葬部本体の頂部から地面方向に亘って複数段形成可能な面積を備えてなる立体墓地である。この第１の発明では、埋葬部本体の傾斜面は遺骨を埋設可能な埋葬部が、頂部から地面方向に亘って複数段形成可能な面積を備えるようにしたので、限られた用地を有効的に利用して多数の墓地が設けられるとともに、墓参者の目よりも低い位置に埋葬部を設けられるから墓参が容易にできる。また、簡素な構成で自然に戻すことが容易にできる。なお、上記埋葬部の段数は、複数段であるが、人の身長よりもかなり高い場合には、事実上墓参できないこととなるので、個々の埋葬部の高さにもよるが、最も高い段の埋葬部は、人の身長よりもやや低い高さとすることが好ましい。
【０００８】
また、第２の発明（請求項２記載の発明）は、前記埋設部には、遺骨を収納可能な納骨空間が内部に形成された納骨容器が埋設されてなるものである。この第２の発明では、埋設部に納骨空間が形成された納骨容器が埋設されているので、遺骨を直接埋設することも、骨箱等に収納したままでも埋設することができる。なお、この納骨容器は、少なくとも内部の納骨空間に遺骨を収容することができるものであれば、例えば、筒状の納骨容器でも良く、必ずしも底部を有する必要はない。また、この納骨容器は、納骨された後に内部に土を充填して使用されるものであっても良いし、請求項３記載の発明のように、納骨された後には、土を内部に充填することなく、閉塞板により開口が閉塞されるものであっても良い。
【０００９】
また、第３の発明（請求項３記載の発明）は、前記納骨容器には、前記納骨空間に連通する開口が形成され、この開口は前記傾斜面に露出してなり、該開口は閉塞板により閉塞されてなるものである。この第３の発明では、納骨容器には、傾斜面に露出する開口が形成されているので、納骨が容易にできるとともに、この開口を閉塞する閉塞板は遺骨が露出することを防止できる。また、この閉塞板は、野生動物等により埋葬部が破壊されるとこも防止できる。なお、この閉塞板の素材は、石，木，樹脂，ガラス等特に限定されるものではないばかりではなく、その形状に関しても、上述した通り開口を閉塞することができる面積を有するものであれば、特に限定されるものではない。また、この閉塞板は、上記開口の閉塞状態を保持・維持できるように、所定の設置保持手段により、埋設部本体の傾斜面に設置されている必要がある。この設置保持手段としては、上記納骨容器に係止される係止手段を閉塞板の裏面に形成したものや、埋設部本体に突き刺されるアンカーによるもの等がある。
【００１０】
また、第４の発明（請求項４記載の発明）は、前記閉塞板の正面には、文字、図形、記号その他遺骨を特定する表示面とされてなるものである。この第４の発明では、閉塞板の正面を表示面としたので、遺骨を特定する表示が容易にできる。
【００１１】
また、第５の発明（請求項５記載の発明）は、前記閉塞板の下端には、前記傾斜面から手前に突出した蜀台部が形成されてなるものである。この第５の発明では、閉塞板の下端に蜀台部が手前に突出するように形成されているので、この蜀台部上に、例えば、線香立て，蝋燭或いは供物を載置することができる。
【発明の効果】
【００１２】
上記第１の発明（請求項１記載の発明）では、遺骨を埋設可能な埋葬部が、傾斜面の頂部から地面方向に亘って複数段形成可能な面積を備えるようにしたので、限られた用地を有効的に利用して多数の墓地を設けることができ、安価な墓地を提供することできる。また、墓参者の目よりも低い位置に埋葬部を設けられるから墓参が容易にでき、多くの遺族が利用できる。また、簡素な構成で自然に戻すことが容易にできるから、墓地を比較的短期の周期でリサイクルすることができる。
【００１３】
また、第２の発明（請求項２記載の発明）では、埋設部に納骨空間が形成された納骨容器が埋設されているので、遺骨を直接埋設することにより、埋葬費用の低減を図ることができる。また、骨箱等に収納したままでも埋設することができるから、骨箱を破棄することなく収納することができる。
【００１４】
また、第３の発明（請求項３記載の発明）では、納骨容器には、傾斜面に露出する開口が形成されているので、納骨が容易にでき、少ない労力で埋葬することができる。また、開口を閉塞する閉塞板は遺骨が露出することを防止できるとともに、野生動物等により埋葬部が破壊されるとこも防止できるので、長期間に亘り遺骨を保存することができる。
【００１５】
また、第４の発明（請求項４記載の発明）では、閉塞板の正面を表示面としたので、遺骨を特定する表示が容易にでき、安価な墓地を提供することができる。また、第５の発明（請求項４記載の発明）では、閉塞板の下端に蜀台部が手前に突出するように形成されているので、埋葬部に要する墓地の容積を小さくし、限られた用地をより有効的に利用することができる。
【発明を実施するための最良の形態】
【００１６】
以下、本発明を実施するための最良の形態を、図面を参照しながら詳細に説明する。この実施の形態に係る立体墓地１は、図1に示すように、堤状に形成された埋葬部本体２Ａ，２Ｂ又は２Ｃと、それらの少なくとも一面に形成された傾斜面３（又は４）と、この傾斜面に複数段形成された埋葬部５とを備えている。なお、埋葬部本体２Ａ，２Ｂ又は２Ｃは、さまざまな形態に構成できるので、形態別に符号を付して説明する。
【００１７】
まず、図１に示す埋葬部本体２Ａ，２Ｂ又は２Ｃは、それぞれ堤状に盛土されており、それぞれの傾斜面３（又は４）は、埋葬部本体２Ａには一面形成され、埋葬部本体２Ｂには二面形成され、埋葬部本体２Ｃには四面形成されている。そのうち、埋葬部本体２Ａは壁面等に接して設ける場合であって、傾斜面３の反対側はフェンス１１の壁面に接しており、長手方向の両側部には、土留１２，１２が立設されている。したがって、この埋葬部本体２Ａは、三側面がフェンス１１及び土留１２，１２により囲まれた内側を堤状に盛土して、フェンス１１及び土留１２，１２に接しない残りの１側面を傾斜面３となしたものである。
【００１８】
また、埋葬部本体２Ｂは、長手方向の両側部に立設された土留１３，１３に接して設ける場合であって、２側面が土留１３，１３により囲まれた内側を堤状に盛土して、土留１３，１３に接しない残りの２側面を傾斜面３，３となしたものである。また、埋葬部本体２Ｃは、４側面には何も接するものがない場合であって、４側面を傾斜面３，３及び４，４とする堤状に盛土して、四角錐台形状になしたものである。
【００１９】
なお、各傾斜面３（又は４）は、フェンス１１、土留１２，１２、土留１３，１３等により包囲されていないことに起因して、その斜面が崩落する恐れの場合には、当該傾斜面３（又は４）の表面に、椰子等の繊維板を敷設したり、芝生を育成させること等で補強することができるとともに、これらの部材又は植物等であれば、何年か先に自然界へ戻そうとする際に容易に回復することができる。
【００２０】
次いで、上記の各傾斜面３に複数段形成される埋葬部５は、本例では図１に示すように、埋葬部本体２Ｂ，２Ｃには、各傾斜面３の頂部から地面方向に亘って２段に設けられ、各傾斜面３の長手方向の各段には数列以上が設けられている。また、埋葬部本体２Ｃには、各傾斜面３，３の他に各傾斜面４，４にも、埋葬部５を頂部から地面方向に亘って２段に設けられ、各傾斜面４，４の幅方向には１乃至数列を設けることができる。これら埋葬部５の設置数は、埋葬部本体２Ａ，２Ｂ又は２Ｃの高さ、長さ又は幅と、埋葬部５の大きさとにより決められる。
【００２１】
この埋葬部５の内部は、図２に示すように、傾斜面３（又は４）と略直交するその傾斜面３（又は４）内に納骨空間１６が遺骨Ｗを収納可能に掘削され、この納骨空間１６内には、両端が開口され遺骨Ｗを収納可能に形成された筒状の納骨容器１７が埋設されている。この納骨容器１７の図２に示す左側の開口部は、埋葬部本体２Ａ，２Ｂ又は２Ｃの盛土により閉塞され、また、納骨容器１７の右側の開口部は、傾斜面３（又は４）の近傍で閉塞板１８により閉塞されている。この閉塞板１８は、納骨容器１７の右側の開口部に当接して閉塞可能な正面板部１８ａと、この正面板部１８ａの下端で連設して傾斜面３（又は４）から手前に突出してなる蜀台部１８ｂとが形成されている。
【００２２】
そして、閉塞板１８の正面板部１８ａには、図３に示す四隅に４本の埋め込み棒（アンカー）１９が止着されており、その埋め込み棒１９の胴部を盛土内に打ち込むことで、閉塞板１８は、納骨容器１７の右側の開口端部に当接した状態で、傾斜面３（又は４）に安定的に敷設することができる。また、閉塞板１８の正面板部１８ａには、埋葬された遺骨Ｗを特定するための図示しない文字、図形、記号等を表示することができ、蜀台部１８ｂには蜀台２１Ａ、線香台２１Ｂ、図示しない花器等の墓前用備品を載置することができる。
【００２３】
なお、納骨容器１７、閉塞板１８又は埋め込み棒１９の素材については、土器、陶器、木材、生分解性樹脂等にすれば、何年か先に自然界へ戻そうとする際に容易に戻すことができる。また、図２に示す納骨容器１７は、左右に開口部が設けられているが、図示左側は閉塞された底部を有するものでもよい。
【００２４】
次いで、埋葬部５に係る他の実施の形態について説明する。まず、図４に示す埋葬部５の閉塞板は、図２に示す閉塞板１８の正面板部１８ａに相当する閉塞板１８Ａと、蜀台部１８ｂに相当する蜀台板１８Ｂとに分割した例であって、閉塞板１８Ａの四隅には、４本の埋め込み棒１９Ａが止着されており、その埋め込み棒１９Ａの胴部を盛土内に打ち込むことで、閉塞板１８Ａは、傾斜面３（又は４）に安定的に敷設することができる。
【００２５】
また、蜀台板１８Ｂは、傾斜面３（又は４）から手前に突出するようにして、閉塞板１８Ａの下端近傍の傾斜面３（又は４）に直接埋設されている。また、図４に示す埋葬部５においては、遺骨Ｗを傾斜面３（又は４）内に直接埋葬する例を示したものであるが、図２に示すように納骨容器１７を埋設し、その中に遺骨Ｗを収納してもよい。なお、閉塞板１８Ａ、蜀台板１８Ｂ又は埋め込み棒１９Ａの素材については、土器、陶器、木材、生分解性樹脂等にすれば、何年か先に自然界へ戻そうとする際に容易に戻すことができる。
【００２６】
次に図５に示す埋葬部５の閉塞板は、図２に示す閉塞板１８の正面板部１８ａに相当する閉塞板１８Ｃのみにした例であって、閉塞板１８Ｃの四隅には、４本の埋め込み棒１９Ｂが止着されており、その埋め込み棒１９Ｂの胴部を盛土内に打ち込むことで、閉塞板１８Ｃは、傾斜面３（又は４）に安定的に敷設することができる。また、図５に示す埋葬部５においては、遺骨Ｗを傾斜面３（又は４）内に直接埋葬する例を示したものであるが、図２に示すように納骨容器１７を埋設し、その中に遺骨Ｗを収納してもよい。なお、閉塞板１８Ｃ又は埋め込み棒１９Ｂの素材については、土器、陶器、木材、生分解性樹脂等にすれば、何年か先に自然界へ戻そうとする際に容易に戻すことができる。
【００２７】
以下、上述した実施の形態に係る立体墓地１の使用方法を説明しながら作用効果を説明する。図１に示す埋葬部本体２Ａは、フェンス１１や図示しない山肌等に接する場合を示し、両端部に土留１２，１２を設けることにより埋葬部本体２Ａの崩落を防止できるが、埋葬部本体２Ａの土質が崩落しにくい場合には、土留１２，１２を必ずしも設ける必要はなく、埋葬部本体２Ｃの傾斜面４のようにしてもよい。
【００２８】
また、埋葬部本体２Ｂは、周囲に障害物がない場合を示し、両端部に土留１３，１３を設けることにより埋葬部本体２Ｂの崩落を防止できるが、埋葬部本体２Ｂの土質が崩落しにくい場合には、土留１３，１３を必ずしも設ける必要はなく、埋葬部本体２Ｃの傾斜面４のようにしてもよい。また、埋葬部本体２Ｃは、周囲に障害物がなく、土質が崩落しにくい場合を示し、長手方向の両端部に土留を設ける必要がないので、傾斜面３，３の他に傾斜面４，４を形成することで、この２側面にも埋葬部５を設けることができる。
【００２９】
このようにして形成された埋葬部本体２Ａ，２Ｂ又は２Ｃに設けるそれぞれの埋葬部５は、図２に示す例では、傾斜面３（又は４）と略直交するその傾斜面３（又は４）内に納骨空間１６を掘削して納骨容器１７を埋設し、その納骨容器１７内に遺骨Ｗを図示のように直接収納することも、又は図示しない骨箱ごと収納することもできる。この納骨容器１７を閉塞する閉塞板１８は、４本の埋め込み棒１９の胴部を盛土内に打ち込むことで、納骨容器１７に当接した状態で傾斜面３（又は４）に安定的に敷設することができるが、土質が崩落しにくい場合には埋め込み棒１９を短くするか、数を減少するか又は無くすことができる。
【００３０】
また、図４に示す例の埋葬部５では、遺骨Ｗを傾斜面３（又は４）内に直接埋葬する例を示したものであるが、図２に示すように納骨容器１７を埋設し、その中に遺骨Ｗを収納してもよい。このように収納された遺骨Ｗを閉塞する閉塞板１８Ａは、４本の埋め込み棒１９Ａの胴部を盛土内に打ち込むことで、傾斜面３（又は４）に安定的に敷設することができるが、土質が崩落しにくい場合には埋め込み棒１９Ａを短くするか、数を減少するか又は無くすことができる。
【００３１】
また、図５に示す例の埋葬部５では、遺骨Ｗを傾斜面３（又は４）内に直接埋葬する例を示したものであるが、図２に示すように納骨容器１７を埋設し、その中に遺骨Ｗを収納してもよい。このように収納された遺骨Ｗを閉塞する閉塞板１８Ｃは、４本の埋め込み棒１９Ｂの胴部を盛土内に打ち込むことで、傾斜面３（又は４）に安定的に敷設することができるが、土質が崩落しにくい場合には埋め込み棒１９Ｂの数を短くするか、数を減少するか又は無くすことができる。
【００３２】
また、埋葬部本体２Ａ，２Ｂ又は２Ｃの頂部には、図１に示す小樹木、花木、草花等の植物Ｕを栽培することで、その植物Ｕの根により盛土の補強ができるとともに、景観を整えることができる。
【００３３】
なお、上記実施の形態では、各傾斜面３に複数段形成される埋葬部５は、各傾斜面３の頂部から地面方向に亘って２段に設け、長手方向には数列に設ける例を示したが、これら埋葬部５の設置数は、埋葬部本体２Ａ，２Ｂ又は２Ｃの高さ、長さ又は幅と、埋葬部５の大きさとにより増減することができる。また、閉塞板１８、閉塞板１８Ａ、閉塞板１８Ｃにより埋葬部５の前面を閉塞する例を示したが、これらの前面は埋葬部本体２Ａ，２Ｂ又は２Ｃの盛土により閉塞し、埋葬された遺骨Ｗを特定するための文字、図形、記号等を表示する表示板を埋葬部５の前面に立設してもよい。
【図面の簡単な説明】
【００３４】
【図１】本発明の実施の形態に係る立体墓地の外観を示す斜視図である。
【図２】図１に示す埋葬部の一例を示す縦断面図である。
【図３】図２に示す埋葬部の正面図である。
【図４】埋葬部の他の例を示す縦断面図である。
【図５】埋葬部の他の例を示す縦断面図である。
【符号の説明】
【００３５】
１  立体墓地
２Ａ，２Ｂ，２Ｃ  埋葬部本体
３，４  傾斜面
５  埋葬部
１２，１３  土留
１７  納骨容器１７
１８，１８Ａ，１８Ｃ  閉塞板
１９，１９Ａ，１９Ｂ  埋め込み棒
Ｗ  遺骨
【図１】
2007327182.tif 000003
【図２】
2007327182.tif 000004
【図３】
2007327182.tif 000005
【図４】
2007327182.tif 000006
【図５】
2007327182.tif 000007